(57)【要約】【課題】製造コストを上げることなく、かつ容易に脱落しないモールを取り付けることができる空気調和機を提供する。【解決手段】前面カバー２４と、前面カバー２４の上辺を覆うように設けられ突起部２５を有するグリル飾り板２７と、断面視において外観部３３と押え部３４と外観部３３及び押え部３４を略コ字形状につなぐ屈曲部３５とを有し、押出し成形品から構成されるモール３０とを備え、モール３０が、前面カバー２４の形状に対応して曲がる曲げ部３２において、押え部３４が内側に変形することによりグリル飾り板２７の突起部２５を挟んで固定することを特徴とする空気調和機１０。【選択図】図６
2015137821.tif 000002
【特許請求の範囲】
【請求項１】
前面カバーと、
前面カバーの上部に設けられ、突起部を有するグリル飾り板と、
断面視において、 外観部と、前記外観部に対向して配置される押え部と、前記外観部及び前記押え部それぞれの一端側をつなぐ屈曲部とを有し、押出し成形品から構成されるモールとを備え、
前記モールは、屈曲されることで前記押え部が前記外観部側に変形し、前記外観部と前記押え部とで前記グリル飾り板の前記突起部を挟持することを特徴とする空気調和機。
【請求項２】
前記押え部が前記屈曲部との接続箇所の外側において面取りされていることを特徴とする請求項１に記載の空気調和機。
空気調和機。
【請求項３】
前記押え部が前記外観部よりも低い高さを有することを特徴とする請求項１又は２に記載の空気調和機。
【発明の詳細な説明】
【技術分野】
【０００１】
本発明は、空気調和機、特に、室内ユニットの前面カバー等の人目に触れやすい箇所にモールが取り付けられた空気調和機に関する。
【背景技術】
【０００２】
従来、意匠性を高めるために、空気調和機の室内ユニットの前面カバーのような人目に触れやすい箇所に、押出成形により形成された装飾用の細長い樹脂部品（モール）を取り付けることが行われている（例えば、特許文献１参照）。特許文献１に記載の空気調和機では、室内ユニットは筐体を有しており、筐体の前面に前面カバーを有する。前面カバーの周縁部にはモールが取り付けられている。前面カバーにおけるモール取付位置には、先端に係止部を有する形状の爪が複数箇所設けられており、爪をモールに設けられているスリットに押し込むことにより、モールを前面カバーに取り付けている。これにより、工具を用いずに、容易に取付可能となっている。
【０００３】
しかしながら、前述した特許文献１に記載の空気調和機のように、前面カバーに爪を設けており、爪を介してモールを前面カバーに取り付ける場合には、爪を成形するためのスライド金型が必要となり、製造コストが高くなるという問題があった。また、モールは軟質材で形成されているため、容易に取り付けることができる反面、外れやすいという問題があった。
【先行技術文献】
【特許文献】
【０００４】
【特許文献１】特開２０１１−９９５９６号公報
【発明の概要】
【発明が解決しようとする課題】
【０００５】
本発明は、従来の問題を解決するためになされたもので、製造コストを上げることなく、容易かつ強固にモールを取り付けることができる空気調和機を提供することを目的とする。
【課題を解決するための手段】
【０００６】
（１）本願発明に係る１つの態様は、前面カバーと、前面カバーの上部に設けられ突起部を有するグリル飾り板と、断面視において外観部と押え部と外観部及び押え部それぞれの一端側をつなぐ屈曲部とを有し、押出し成形品から構成されるモールとを備え、モールは、屈曲されることで押え部が外観部側に変形し、外観部と押え部とでグリル飾り板の突起部を挟んで固定することを特徴とする空気調和機を提供する。
（２）上記（１）に記載の空気調和機において、押え部が屈曲部との接続箇所の外側において面取りされていることを特徴とするものであってもよい。
（３）上記（１）又は（２）に記載の空気調和機において、押え部が外観部よりも低い高さを有することを特徴とするものであってもよい。
【発明の効果】
【０００７】
本発明では、モールは、前面カバーの上辺を覆うように設けられているグリル飾り板の突起部に取り付けられる。このとき、前面カバーの形状に対応して曲がるモールの曲げ部において、押え部が内側に変形することにより突起部を締め付けてモールを固定する。このため、前面カバーに爪を設ける必要がないので、製造コストを抑えることができる。また、モールをグリル飾り板の突起部に容易に取り付けることができるとともに、強固に取付けることができるという効果を有する空気調和機を提供できる。
【図面の簡単な説明】
【０００８】
【図１】本発明に係る実施形態の空気調和機の全体斜視図である。
【図２】図１中ＩＩ−ＩＩ位置の断面図である。
【図３】モールの空気調和機への取付け位置であって前面カバーとグリル飾り板との関係を示す図である。
【図４】グリル飾り板の裏面を示す図である。
【図５】図４の角部を拡大した図である。
【図６】（Ａ）はモールの全体斜視図であり、（Ｂ）は（Ａ）中Ｂ−Ｂ位置のモールの断面図である。
【図７】（Ａ）はモールの直線部における取付構造を示す断面図であり、（Ｂ）はモールの曲げ部における取付構造を示す断面図である。
【図８】（Ａ）は溝部の一方の内壁が高い場合の端部直線部におけるモール取付動作を示す断面図であり、（Ｂ）は端部直線部において固定されたモールの断面図である。
【図９】（Ａ）は端部直線部におけるモール取付動作を示す断面図であり、（Ｂ）は端部直線部において固定されたモールの断面図である。
【発明を実施するための形態】
【０００９】
以下、本発明に係る実施形態の空気調和機について、図面を用いて説明する。図１に示すように、本発明に係る実施形態の空気調和機１０は、例えば室内の壁１１等に取り付けて使用することができる。なお、以下の説明においては、空気調和機１０を壁１１に取り付けた状態で、天井側を「上」とし、床側を「下」とする。また、壁１１に対して室内側を「前」とし、壁１１側を「後」として説明する。
【００１０】
図１及び図２に示すように、空気調和機１０は、その内部が見えないように覆う外観部品としてハウジング２０を有しており、ハウジング２０の前面には前面カバー２４が、前面カバー２４の前面にはオープンパネル２４ａが設けられている。オープンパネル２４ａは前面カバー２４の下部に保持されており、運転時には前方かつ上方にスライドし、室内の空気を吸入する空気吸入口２１（２１１）を形成する。空気吸入口２１としては、このようにしてハウジング２０の前面であってオープンパネル２４ａの内側にルーバー状に設けられている前側空気吸入口２１１のほかに、ハウジング２０の上側に設けられている上側空気吸入口２１２を有する。なお、前側空気吸入口２１１及び上側空気吸入口２１２には、吸入する空気中のホコリ等を除去するフィルタ（図示省略）が設けられている。オープンパネル２４ａは、停止時には空気吸入口２１１を塞いで空気調和機１０の外観を向上させる。
【００１１】
空気吹出口２２は、ハウジング２０の下面に設けられており、下方に開口している。空気吹出口２２には、上下に開閉可能な上下風向板２３が設けられている。上下風向板２３は、運転時には下方へ開き、上下方向の風向調整が可能となっている。上下風向板２３は、運転を停止すると、閉じる。また、左右方向に回動可能な左右風向板（図示省略）が設けられており、左右方向への風向調整が可能となっている。ハウジング２０は、後側面が開口しており、矩形の金属板である取付板１２を介して壁１１に取り付けられる。
【００１２】
図２に示すように、ハウジング２０の中央部分には、クロスフロー型の送風ファン１３が配置されている。送風ファン１３の上方には、熱交換器１４がファンを囲うように配置されている。熱交換器１４は、前側熱交換器と後側熱交換器を有している。前側熱交換器と後側熱交換器は上部が近接し下部が離間するように配置されており、いわゆる逆Ｖ字状に配置されている。
【００１３】
従って、送風ファン１３が回転して外気を吸引すると、ハウジング２０の前側空気吸入口２１１及び上側空気吸入口２１２から外気が流入し（図２中矢印Ａ１，Ａ２，Ａ３参照）、熱交換器１４を通過して冷媒と熱交換され、空気吹出口２２から室内に排出される（図２中矢印Ｂ１，Ｂ２参照）。なお、熱交換器１４の下方には、熱交換器１４から滴下する凝縮水を受ける露受皿１５が設けられている。
【００１４】
次に、モール３０の取付構造について、図３ないし図４を用いて説明する。図３に示すように、モール３０は、空気調和機１０における前面カバー２４の上部に設けられるグリル飾り板２７ との間に取り付けられる。モール３０は、例えば樹脂の押出成型品にクロムメッキ等により装飾を施したものである。図４では省略しているが、前述したとおり、前面カバー２４の前側にはオープンパネル２４ａが設けられており、オープンパネル２４ａは空気調和機１０の停止時にはその上端がグリル飾り板２７の先端と合わさるように閉じる。モール３０は、オープンパネル２４ａとグリル飾り板２７との境界に設けられることにより、外観の向上を図るものである。グリル飾り板２７は、図４に示すように、その裏面に爪２７ａを有しており、前面カバー２４の上面に設けられている孔（不図示）に係合して取り付けられる。グリル飾り板２７の裏面にはリブ２５が設けられており、詳しくは後述するように、モール３０の凹部３６がはめ込まれるようになっている。グリル飾り板２７の裏面には溝部２６が設けられており、詳しくは後述するように、モール３０の端部直線部３２１がはめ込まれるようになっている。そして、モール３０の曲げ部３２は、図５に示す前面カバー２４の角部２４ｂによってグリル飾り板２７側に押さえられている。
【００１５】
図６（Ａ）に示すように、モール３０は押し出し成形により成形された細長い直線状部材であり、直線部３１の両端に、前面カバー２４の形状に対応した曲げ部３２が設けられている。さらに、両曲げ部３２よりも端部側には、それぞれ端部直線部３２１が設けられている。モール３０の断面形状は、部品外観側すなわち前面カバー２４の前面側に向かう略半円状の断面を有する外観部３３と、外観部３３と所定の間隔で対向するように上下方向に設けられた押え部３４と、外観部３３と押え部３４の一端側同士をつなぐ屈曲部３５を有する。凹部３６は、周囲を外観部３３と押え部３４と屈曲部３５とで構成されている。
【００１６】
押え部３４は、屈曲部３５との接続箇所において面取りされて面取部３４１が設けられている。また、押え部３４の高さＨ１は、外観部３３の高さＨ２よりも小さい。すなわち、押え部３４の上面３４２は、外観部３３の上面３３１よりも低い位置にあり、外観部３３側から（前方から）見ると、押え部３４は外観部３３に隠れて見えない。
【００１７】
図７（Ａ）に示すように、モール３０の直線部３１では、グリル飾り板２７から下方に延びるリブ２５が、モール３０の凹部３６に上方から挿入される。このため、モール３０を前面カバー２４から前方へ引き離すような外力が作用しても、モール３０が引き剥がされるのを防止できる。
【００１８】
また、図７（Ｂ）は、モール３０の曲げ部３２の近傍となる、リブ２５の端部２５ａにおけるモール３０の状態を示している。モール３０は曲げ部３２において、前面カバー２４の形状に対応して、外観部３３が外側となり、押え部３４が内側となるよう曲げられる。このとき、モール３０が押え部３４側に曲げられることにより、押え部３４は押し縮められて内側（図７（Ｂ）中矢印Ｃ参照）に変形する。これにより、外観部３３の後面３３２と押え部３４とで、グリル飾り板２７のリブ２５を締め付けて固定するので、モール３０はグリル飾り板２７に確実に固定される。
【００１９】
なお、押え部３４の高さＨ１（図６（Ｂ）参照）が、外観部３３の高さＨ２と等しいか高い場合には、押え部３４が屈曲部３５を軸に外観部３３に向けて傾斜するよう変形したときに、上面３４２の一部が外観部３３の上面３３１よりも高くなり、前方から見えるおそれがある。しかしながら、ここでは押え部３４の高さは外観部３３の高さより低いので、前方からモール３０を見た際に、外観部３３のみが見え、押え部３４は見えない。
【００２０】
ここで、図８（Ａ）に示すように、溝部２６の一方の内壁２６１を高くすると、モール３０の端部直線部３２１の押え部３４の上面３４２側を内壁２６１に押し付け（図８（Ａ）中矢印Ａ１参照）、その状態で端部直線部３２１を溝部２６に押し込む（図８（Ａ）中矢印Ａ２参照）。これにより、図８（Ｂ）に示すように、押え部３４が変形して、モール３０の溝部２６に固定することができる。
【００２１】
なお、図９（Ａ）は溝部２６の内壁の高さが同じ場合を示しており、端部直線部３２１は、グリル飾り板２７の裏面に設けられている溝部２６に挿嵌される。溝部２６の幅Ｈ４は、モール３０の幅Ｈ３よりも若干小さい。このため、モール３０の端部直線部３２１を溝部２６に上方から押し込むと、押え部３４の面取部３４１が溝部２６の上端部に当接する。
【００２２】
さらにモール３０を押し込むと、図９（Ｂ）に示すように、面取部３４１が変形して押え部３４が傾斜し、押え部３４が外観部３３の後面３３２に当接する（図９（Ｂ）中矢印Ｃ参照）。モール３０の弾性力により溝部２６に固定される。このように、端部直線部３２１が溝部２６に確実に固定されるので、曲げ部３２をリブ２５に固定することができる。これに伴い、中間の直線部３１は、リブ２５に沿ってグリル飾り板２７に取り付けられる。
【００２３】
次に、本発明の空気調和機１０の作用効果について説明する。グリル飾り板２７は、リブ２５を有する。また、モール３０は、押出し成形品から構成されており、断面視において、外観部３３と、外観部３３と所定の間隔で対向するように上下方向に設けられた押え部３４と、外観部３３と押え部３４の一端側同士をつなぐ屈曲部３５とを有する。そして、モール３０は、リブ２５に取り付けられる。このとき、前面カバー２４の形状に対応して曲がるモール３０の曲げ部３２において押え部３４が内側に変形する。モール３０の曲げ部３２の近傍となるリブ２５の端部２５ａを、外観部３３と押え部３４で挟んで固定することができる。このため、前面カバー２４に爪を設ける必要がないので、製造コストを抑えることができる。また、モール３０をグリル飾り板２７のリブ２５に容易に取り付けることができるとともに、容易に脱落するのを防止できる。
さらに、本発明の空気調和機１０では、押え部３４は、外観部３３よりも低くされているので、押え部３４が内側に変形した際に、前側から見て、外観部３３から飛びして見えることがない。このため、意匠性を向上させることができる。
【００２４】
本発明の空気調和機１０は、前述した実施形態に限定されるものでなく、適宜な変形，改良等が可能である。例えば、前述した実施形態においては、グリル飾り板２７に設けるリブ２５として、下方に突出する形状のものを設け、モール３０の凹部３６に上方から挿入するものを例示した（図７（Ａ）及び（Ｂ）参照）。これに限らず、リブ２５として、例えば下方に突出する形状のものを２つ設けることにより、モール３０を上方から挟むようにしてもよい。
【符号の説明】
【００２５】
１０……空気調和機
１３……送風ファン
１４……熱交換器
１５……露受皿
２０……ハウジング
２４……前面カバー
２４ａ……オープンパネル
２４ｂ……角部
２７……グリル飾り板
２７ａ……爪
２５……リブ（突起部）
３０……モール
３１……直線部
３２……曲げ部
３２１……端部直線部
３３……外観部
３３１……上面（外観部の）
３３２……後面（外観部の）
３４……押え部
３４１……面取部（面取り）
３４２……上面（押え部の）
３５……屈曲部
３６……凹部
Ｈ１……押え部の高さ
Ｈ２……外観部の高さ
Ｃ……押え部の変形方向
【図１】
2015137821.tif 000003
【図２】
2015137821.tif 000004
【図３】
2015137821.tif 000005
【図４】
2015137821.tif 000006
【図５】
2015137821.tif 000007
【図６】
2015137821.tif 000008
【図７】
2015137821.tif 000009
【図８】
2015137821.tif 000010
【図９】
2015137821.tif 000011